(57)【要約】【課題】  排出されるドレンの温度上昇を防止することが可能となる熱源システムを提供する。【解決手段】  給湯部Ａ，Ｂにて発生して貯留部ＤＴに貯留されるドレンを給湯用配管２３，２４と共通の保護管の内部に収納される状態で設けられたドレン配管４４を通して排出させるドレン排出手段４５が設けられ、それらの作動を制御する制御手段Ｈ１が、温水供給指令に基づいて、加熱した湯水を給湯用配管２３、２４を通して浴槽５に供給するように給湯部の作動を制御する温水供給処理、及び、ドレンが満杯あるいはそれに近い状態であることを検出するとドレンを排出させるようにドレン排出手段４５の作動を制御し、温水供給処理を実行するときは、その温水供給処理に先立って貯留部ＤＴに貯留されているドレンを排出させるようにドレン排出手段４５の作動を制御する先行ドレン排出処理を実行する。【選択図】        図１
2006138527.tif 000002
【特許請求の範囲】
【請求項１】
湯水を給湯用配管を通して浴槽に供給する給湯部と、その給湯部にて発生して貯留部に貯留されるドレンをドレン配管を通して排出させるドレン排出手段と、前記貯留部におけるドレンの貯留量を検出するドレン量検出手段と、前記給湯部及び前記ドレン排出手段の作動を制御する制御手段とを備えて構成され、
前記制御手段が、温水供給指令に基づいて、加熱した湯水を前記給湯用配管を通して浴槽に供給するように前記給湯部の作動を制御する温水供給処理、及び、前記ドレン量検出手段の検出情報に基づいてドレンが満杯あるいはそれに近い状態であることを検出するとドレンを排出させるように前記ドレン排出手段の作動を制御する満杯時ドレン排出処理を実行するように構成され、
前記給湯用配管及び前記ドレン配管が共通の保護管の内部に収納される状態で設けられた熱源システムであって、
前記制御手段が、前記温水供給処理を実行するときは、その温水供給処理に先立って前記貯留部に貯留されているドレンを排出させるように前記ドレン排出手段の作動を制御する先行ドレン排出処理を実行するように構成されている熱源システム。
【請求項２】
前記制御手段が、前記温水供給処理を実行するときに、前記ドレン量検出手段にて検出されるドレンの貯留量が設定量未満である場合、又は、前記貯留部に貯留されるドレンの貯留量が設定量未満であると予測される場合には、前記先行ドレン排出処理を実行しないように構成されている請求項１記載の熱源システム。
【請求項３】
前記温水供給指令が、開始してから短時間で終了することが予測される温水供給処理を指令する短時間処理指令と、開始してから長時間で終了することが予測される温水供給処理を指令する長時間処理指令とを含むものであり、
前記制御手段が、
前記長時間処理指令に伴って温水供給処理を実行するときは、その温水供給処理に先立って前記先行ドレン排出処理を実行し、且つ、前記短時間処理指令に伴って温水供給処理を実行するときは、その温水供給処理に先立って前記先行ドレン排出処理を実行しないように構成されている請求項１又は２記載の熱源システム。
【請求項４】
前記制御手段が、
前記温水供給処理として、浴用の給湯温度に加熱した温水を前記給湯用配管を通して浴槽に供給する湯張り処理、及び、前記浴用の給湯温度より高い温度に加熱した温水を前記給湯用配管を通して浴槽に供給する追焚き処理を実行するように構成され、且つ、
前記追焚き処理を実行するときは、前記追焚き処理に先立って前記先行ドレン排出処理を実行し、前記湯張り処理を実行するときに、前記湯張り処理に先立って前記先行ドレン排出処理を実行しないように構成されている請求項１〜３のうちのいずれか１項に記載の熱源システム。
【請求項５】
湯水を給湯用配管を通して浴槽に供給する給湯部と、その給湯部にて発生して貯留部に貯留されるドレンをドレン配管を通して排出させるドレン排出手段と、前記貯留部におけるドレンの貯留量を検出するドレン量検出手段と、前記給湯部及び前記ドレン排出手段の作動を制御する制御手段とを備えて構成され、
前記制御手段が、温水供給指令に基づいて、加熱した湯水を前記給湯用配管を通して浴槽に供給するように前記給湯部の作動を制御する温水供給処理、及び、前記ドレン量検出手段の検出情報に基づいてドレンが満杯あるいはそれに近い状態であることを検出すると、ドレンを排出させるように前記ドレン排出手段の作動を制御する満杯時ドレン排出処理を実行するように構成され、
前記給湯用配管及び前記ドレン配管が共通の保護管の内部に収納される状態で設けられた熱源システムであって、
前記制御手段が、
前記温水供給処理を実行しているときに、前記ドレン量検出手段の検出情報に基づいてドレンが満杯あるいはそれに近い状態であることを検出すると、前記温水供給処理の実行を中断して、前記給湯用配管の温度を低下させるように前記給湯用配管を通して供給する湯水の流動状態を変化させる流動状態変更処理を実行した後に、前記満杯時ドレン排出処理を実行するように構成されている熱源システム。
【請求項６】
前記制御手段が、
前記流動状態変更処理として、前記給湯用配管を通して浴槽に供給する湯水の温度を低下させるように構成されている請求項５記載の熱源システム。
【請求項７】
前記制御手段が、
前記温水供給処理として、浴用の給湯温度に加熱した温水を前記給湯用配管を通して浴槽に供給する湯張り処理、及び、前記浴用の給湯温度より高い温度に加熱した温水を前記給湯用配管を通して浴槽に供給する追焚き処理を実行するように構成され、且つ、
前記追焚き処理を実行しているときに、前記ドレン量検出手段の検出情報に基づいてドレンが満杯あるいはそれに近い状態であることを検出すると、前記流動状態変更処理を実行した後に前記満杯時ドレン排出処理を実行するように構成され、
前記湯張り処理を実行するときに、前記ドレン量検出手段の検出情報に基づいてドレンが満杯あるいはそれに近い状態であることを検出すると、前記流動状態変更処理を実行することなく前記満杯時ドレン排出処理を実行するように構成されている請求項５又は６項に記載の熱源システム。
【請求項８】
湯水を給湯用配管を通して浴槽に供給する給湯部と、その給湯部にて発生して貯留部に貯留されるドレンをドレン配管を通して排出させるドレン排出手段と、前記貯留部におけるドレンの貯留量を検出するドレン量検出手段と、前記給湯部及び前記ドレン排出手段の作動を制御する制御手段とを備えて構成され、
前記制御手段が、温水供給指令に基づいて、加熱した湯水を前記給湯用配管を通して浴槽に供給するように前記給湯部の作動を制御する温水供給処理、及び、前記ドレン量検出手段の検出情報に基づいてドレンが満杯あるいはそれに近い状態であることを検出するとドレンを排出させるように前記ドレン排出手段の作動を制御する満杯時ドレン排出処理を実行するように構成され、
前記給湯用配管及び前記ドレン配管が共通の保護管の内部に収納される状態で設けられた熱源システムであって、
前記制御手段が、
前記温水供給処理の実行を終了した後において、前記給湯用配管の温度を低下させるように、前記温水供給処理を実行するときにおける湯水の温度よりも低温の湯水を前記給湯用配管を通して供給する温度低下処理を実行するように構成されている熱源システム。
【請求項９】
前記制御手段が、
前記温水供給処理として、浴用の給湯温度に加熱した温水を前記給湯用配管を通して浴槽に供給する湯張り処理、及び、前記浴用の給湯温度より高い温度に加熱した温水を前記給湯用配管を通して浴槽に供給する追焚き処理を実行するように構成され、且つ、
前記追焚き処理の実行を終了した後において前記温度低下処理を実行するように構成され、前記湯張り処理の実行を終了した後には前記温度低下処理を実行しないように構成されている請求項８項に記載の熱源システム。
【発明の詳細な説明】
【技術分野】
【０００１】
本発明は、湯水を給湯用配管を通して浴槽に供給する給湯部と、その給湯部にて発生して貯留部に貯留されるドレンをドレン配管を通して排出させるドレン排出手段と、前記貯留部におけるドレンの貯留量を検出するドレン量検出手段と、前記給湯部及び前記ドレン排出手段の作動を制御する制御手段とを備えて構成され、前記制御手段が、温水供給指令に基づいて、加熱した湯水を前記給湯用配管を通して浴槽に供給するように前記給湯部の作動を制御する温水供給処理、及び、前記ドレン量検出手段の検出情報に基づいて、ドレンが満杯あるいはそれに近い状態であることを検出すると前記ドレンを排出させるように前記ドレン排出手段の作動を制御する満杯時ドレン排出処理を実行するように構成され、前記給湯用配管及び前記ドレン配管が共通の保護管の内部に収納される状態で設けられた熱源システムに関する。
【背景技術】
【０００２】
上記構成の熱源システムにおいては、前記給湯部が前記温水供給処理として、浴槽の内部の湯水を加熱する追焚き処理や浴槽への湯張り処理等を実行するように構成され、前記給湯用配管としての風呂用の行き配管及び風呂用の戻り配管と共に前記ドレン配管が共通の保護管の内部に収納される状態で設けられる。そして、従来では、前記制御手段が、ドレン量検出手段にてドレンの貯留量が満杯あるいはそれに近い状態であることを検出すると、前記ドレン排出手段を作動させてドレンを排出させる構成としたものがあった（例えば、特許文献１参照。）。
【０００３】
説明を加えると、前記給湯部に備えられた潜熱回収型の熱交換器から発生して回収されるドレンを貯留部に貯留しておき、その貯留部においてドレンの貯留量が満杯あるいはそれに近い状態になると、そのドレンを排出させるようにしたものであり、しかも、前記各配管を共通の保護管の内部に収納して１本にまとめて配管することで作業を容易に行えるようにしたものである。
【０００４】
【特許文献１】特開２００３−１５６２５６号公報
【発明の開示】
【発明が解決しようとする課題】
【０００５】
上記従来構成は、貯留部においてドレンの貯留量が満杯あるいはそれに近い状態になるとドレン排水を排出させることになるが、例えば、前記給湯部が前記追焚き運転を実行しており、前記給湯用配管としての風呂追焚き用の行き配管から例えば約６０℃の高温の湯を供給しているときに前記ドレン配管を通してドレンが排出されると、上述したように、給湯用配管とドレン配管とが共通の保護管の内部に収納されていることから、ドレン配管が給湯用配管から熱を吸収してドレン配管並びにそれの内部を通流するドレンの温度が上昇することになる。その結果、浴室から排出されるドレンの温度が例えば５０℃を越えるように高温になるおそれがある。このようなドレンは、浴室にて入浴している浴室使用者の意思とは無関係に排出されるものであり、ドレンの温度が高温になると、浴室使用者の身体にこのような高温のドレンが不測に接触する等、安全性が確保できないものとなる不利がある。
【０００６】
又、一般家庭から外部に排出される排液における温度の上限値が下水道法により４５℃未満になるように規制されていることもあり、この点からも排出するときのドレンの温度を低下させることが要求されるものである。
【０００７】
尚、前記給湯部における前記温水供給処理として、追焚き運転に限らず、加熱した温水を給湯用配管を通して浴槽に供給して浴槽に湯張りする湯張り運転を実行する場合においても、浴槽への湯張り給湯用の目標温度が高温（例えば４７〜４８℃程度）に設定されているような場合には、排出されるドレンが高温になり上述したような不都合が発生することがある。
【０００８】
本発明の目的は、排出されるドレンの温度上昇を防止することが可能となる熱源システムを提供する点にある。
【課題を解決するための手段】
【０００９】
本発明の第１特徴構成は、湯水を給湯用配管を通して浴槽に供給する給湯部と、その給湯部にて発生して貯留部に貯留されるドレンをドレン配管を通して排出させるドレン排出手段と、前記貯留部におけるドレンの貯留量を検出するドレン量検出手段と、前記給湯部及び前記ドレン排出手段の作動を制御する制御手段とを備えて構成され、前記制御手段が、温水供給指令に基づいて、加熱した湯水を前記給湯用配管を通して浴槽に供給するように前記給湯部の作動を制御する温水供給処理、及び、前記ドレン量検出手段の検出情報に基づいてドレンが満杯あるいはそれに近い状態であることを検出すると前記ドレンを排出させるように前記ドレン排出手段の作動を制御する満杯時ドレン排出処理を実行するように構成され、前記給湯用配管及び前記ドレン配管が共通の保護管の内部に収納される状態で設けられた熱源システムであって、前記制御手段が、前記温水供給処理を実行するときは、その温水供給処理に先立って前記ドレンを排出させるように前記ドレン排出手段の作動を制御する先行ドレン排出処理を実行するように構成されている点にある。
【００１０】
第１特徴構成によれば、前記制御手段は、前記温水供給処理を実行するときは、その温水供給処理に先立ってドレンを排出させるように前記ドレン排出手段の作動を制御する先行ドレン排出処理を実行するように構成されているから、前記温水供給処理を実行するときには貯留部に貯留されていたドレンは既に排出されており、温水供給処理を実行することによって給湯部からドレンが発生してそのドレンが貯留部に貯留されるとしても、短時間で貯留部が満杯あるいはそれに近い状態になることはない。
【００１１】
つまり、温水供給処理を実行しているときに給湯用配管から高温の湯水を浴槽に供給している場合であっても、その温水供給処理を実行している途中で満杯時ドレン排出処理を実行するおそれは少ないものになり、温水供給処理を実行することによって給湯用配管が高温になっている状態で、ドレン配管を通してドレンが排出されることを極力回避させることが可能となる。
【００１２】
従って、ドレン配管を通して排出されるドレンの温度上昇を防止することが可能な熱源システムを提供できるに至った。
【００１３】
本発明の第２特徴構成は、第１特徴構成に加えて、前記制御手段が、前記温水供給処理を実行するときに、前記ドレン量検出手段にて検出されるドレンの貯留量が設定量未満である場合、又は、前記貯留部に貯留されるドレンの貯留量が設定量未満であると予測される場合には、前記先行ドレン排出処理を実行しないように構成されている点にある。
【００１４】
第２特徴構成によれば、前記温水供給処理を実行するときに、ドレン量検出手段にて検出される前記貯留部に貯留されるドレンの貯留量が設定量未満である場合、又は、前記貯留部に貯留されるドレンの貯留量が設定量未満であると予測される場合、要するに、貯留部におけるドレンの貯留量が設定量に満たないような少量であるときには、先行ドレン排出処理を実行しないようになっている。
【００１５】
貯留部におけるドレンの貯留量が設定量に満たないような少量であるときには、温水供給処理を実行しても短時間で貯留部が満杯あるいはそれに近い状態になることはないと考えられるが、このような状態であっても、前記制御手段が温水供給処理を実行するときには常に先行ドレン排出処理を実行するようにすると、温水供給処理を短時間の間隔で繰り返し行うときには、その都度、先行ドレン排出処理を行うことになり、貯留部にドレンがそれほど貯留されていないにもかかわらず、ドレン排出手段が繰り返し作動する不利がある。
【００１６】
そこで、前記温水供給処理を実行するときに、貯留部におけるドレンの貯留量が設定量未満の少量であるときには先行ドレン排出処理を実行しないようにしているから、不必要にドレン排出手段が繰り返し作動する不利のない状態でドレンの温度上昇を防止することが可能となる。
【００１７】
本発明の第３特徴構成は、第１特徴構成又は第２特徴構成に加えて、前記温水供給指令が、開始してから短時間で終了することが予測される温水供給処理を指令する短時間処理指令と、開始してから長時間で終了することが予測される温水供給処理を指令する長時間処理指令とを含むものであり、前記制御手段が、前記長時間処理指令に伴って温水供給処理を実行するときは、その温水供給処理に先立って前記先行ドレン排出処理を実行し、且つ、前記短時間処理指令に伴って温水供給処理を実行するときは、その温水供給処理に先立って前記先行ドレン排出処理を実行しないように構成されている点にある。
【００１８】
第３特徴構成によれば、温水供給指令に伴って処理を開始してから長時間で終了することが予測される温水供給処理を指令する長時間処理指令が指令されたときに、その長時間処理指令に伴って温水供給処理を実行するときは、その温水供給処理に先立って先行ドレン排出処理を実行することになる。このような温水供給処理は、処理の実行を開始してから処理を終了するまでの間に長時間が必要となるものであるから、その温水供給処理を実行することによって給湯部から発生するドレンの量も多くなるが、その温水供給処理に先立って先行ドレン排出処理を実行するので、予め、貯留部におけるドレンを排出しておくことで貯留部が満杯あるいはそれに近い状態になるおそれは少ないものとなる。
【００１９】
前記長時間処理指令に伴って実行する温水供給処理としては、例えば、浴槽に湯張りを行う湯張り処理や、湯張りが行われてから長時間が経過した後に残り湯を追焚きする追焚き処理等がある。このような処理は、開始してから終了するまでに長時間が必要となるものである。
【００２０】
一方、温水供給指令に伴って処理を開始してから短時間で終了することが予測される短時間処理指令が指令されたときに、その短時間処理指令に伴って温水供給処理を実行するときは、その温水供給処理に先立って先行ドレン排出処理を実行しないから、ドレン排出手段が不必要に作動することがない。このような温水供給処理は、処理の実行を開始してから処理を終了するまでの間は短時間であり、温水供給処理を実行することによって給湯部から発生するドレンの量は少ない、温水供給処理に先立って先行ドレン排出処理を実行しなくても、貯留部が満杯あるいはそれに近い状態になるおそれは少ない。
【００２１】
前記短時間処理指令に伴って実行する温水供給処理としては、例えば、浴槽への湯張りが終了した直後に行われる仕上げの追焚き処理、あるいは、湯張り後に浴槽の湯温を設定温度に維持するように自動的に繰り返し実行される追焚き処理等がある。これらの追焚き処理を行うときは、湯温が設定温度よりも大きく低下していることはないので、開始してから短時間で終了することになる。
【００２２】
従って、上記したように、貯留部が満杯あるいはそれに近い状態になるおそれがある温
水供給処理を実行するときにだけ先行ドレン排出処理を実行することにより、ドレン排出手段が必要以上に作動する不利のない状態でドレンの温度上昇を防止することが可能となる。
【００２３】
本発明の第４特徴構成は、第１特徴構成〜第３特徴構成のいずれかに加えて、前記制御手段が、前記温水供給処理として、浴用の給湯温度に加熱した温水を前記給湯用配管を通して浴槽に供給する湯張り処理、及び、前記浴用の給湯温度より高い温度に加熱した温水を前記給湯用配管を通して浴槽に供給する追焚き処理を実行するように構成され、且つ、前記追焚き処理を実行するときは、前記追焚き処理に先立って前記先行ドレン排出処理を実行し、前記湯張り処理を実行するときに、前記湯張り処理に先立って前記先行ドレン排出処理を実行しないように構成されている点にある。
【００２４】
第４特徴構成によれば、前記湯張り処理を実行するときには、浴用の給湯温度に加熱した温水を前記給湯用配管を通して浴槽に供給することになるが、このような湯張り処理における浴槽への湯張り給湯用の目標温度としては一般的に例えば４５℃よりも低い温度に設定されることが多く、湯張り処理を行っているときにドレン配管を通してドレンを排出させるようにしても、排出されるドレンが４５℃を越えるような高温になることは少ない。これに対して、追焚き処理を実行するときは、浴用の給湯温度より高い温度（例えば、６０℃）に加熱した温水を給湯用配管を通して浴槽に供給することになるから、追焚き処理を行っているときにドレン配管を通してドレンを排出させると、排出されるドレンが４５℃を越えるような高温になるおそれが大である。
【００２５】
そこで、排出されるドレンが高温になるおそれが大きい追焚き処理を実行するときにだけ、その追焚き処理に先立って先行ドレン排出処理を実行するようにしたので、ドレン排出手段が必要以上に作動する不利のない状態でドレンの温度上昇を防止することが可能となる。
【００２６】
本発明の第５特徴構成は、湯水を給湯用配管を通して浴槽に供給する給湯部と、その給湯部にて発生して貯留部に貯留されるドレンをドレン配管を通して排出させるドレン排出手段と、前記貯留部におけるドレンの貯留量を検出するドレン量検出手段と、前記給湯部及び前記ドレン排出手段の作動を制御する制御手段とを備えて構成され、前記制御手段が、温水供給指令に基づいて、加熱した湯水を前記給湯用配管を通して浴槽に供給するように前記給湯部の作動を制御する温水供給処理、及び、前記ドレン量検出手段の検出情報に基づいてドレンが満杯あるいはそれに近い状態であることを検出すると、前記ドレンを排出させるように前記ドレン排出手段の作動を制御する満杯時ドレン排出処理を実行するように構成され、前記給湯用配管及び前記ドレン配管が共通の保護管の内部に収納される状態で設けられた熱源システムであって、前記制御手段が、前記温水供給処理を実行しているときに、前記ドレン量検出手段の検出情報に基づいてドレンが満杯あるいはそれに近い状態であることを検出すると、前記温水供給処理の実行を中断して、前記給湯用配管の温度を低下させるように前記給湯用配管を通して供給する温水の流動状態を変化させる流動状態変更処理を実行した後に、前記満杯時ドレン排出処理を実行するように構成されている点にある。
【００２７】
第５特徴構成によれば、前記温水供給処理を実行しているときに、ドレン量検出手段の検出情報に基づいてドレンが満杯あるいはそれに近い状態であることを検出すると、温水供給処理の実行を中断して、給湯用配管の温度を低下させるように給湯用配管を通して供給する温水の流動状態を変化させる流動状態変更処理を実行した後に、満杯時ドレン排出処理を実行して貯留部に貯留されているドレン排水を排出させるのである。上記したように前記温水供給処理の実行を中断してから前記流動状態変更処理及び前記満杯時ドレン排出処理を実行するものであり、それらの処理を実行した後には、前記温水供給処理の実行
する状態に復帰することになり、温水供給処理を継続して実行することで加熱した湯水を給湯用配管を通して浴槽に供給することができる。
【００２８】
つまり、温水供給処理を実行しているときにドレンが満杯あるいはそれに近い状態になった場合には、給湯用配管の温度を低下させるように給湯用配管を通して供給する温水の流動状態を変化させる流動状態変更処理を実行した後に、ドレン配管を通してドレンを排出させることになるから、ドレンを排出させるときには給湯用配管の温度は低下しており、排出されるドレンの温度が上昇することはない。
【００２９】
従って、ドレン配管を通して排出されるドレンの温度上昇を防止することが可能な熱源システムを提供できるに至った。
【００３０】
本発明の第６特徴構成は、第５特徴構成に加えて、前記制御手段が、前記流動状態変更処理として、前記給湯用配管を通して浴槽に供給する湯水の温度を低下させるように構成されている点にある。
【００３１】
第６特徴構成によれば、温水供給処理を実行しているときにドレンが満杯あるいはそれに近い状態になった場合に、給湯用配管を通して浴槽に供給する湯水の温度を低下させるようにしたので、湯水の温度に合わせて給湯用配管の温度も低下することになり、ドレン配管を通して排出されるドレンの温度が上昇することを確実に防止することができる。
【００３２】
本発明の第７特徴構成は、第５特徴構成又は第６特徴構成に加えて、前記制御手段が、前記温水供給処理として、浴用の給湯温度に加熱した温水を前記給湯用配管を通して浴槽に供給する湯張り処理、及び、前記浴用の給湯温度より高い温度に加熱した温水を前記給湯用配管を通して浴槽に供給する追焚き処理を実行するように構成され、且つ、前記追焚き処理を実行しているときに、前記ドレン量検出手段の検出情報に基づいてドレンが満杯あるいはそれに近い状態であることを検出すると、前記流動状態変更処理を実行した後に前記満杯ドレン排出処理を実行するように構成され、前記湯張り処理を実行するときに、前記ドレン量検出手段の検出情報に基づいてドレンが満杯あるいはそれに近い状態であることを検出すると、前記流動状態変更処理を実行することなく前記満杯ドレン排出処理を実行するように構成されている点にある。
【００３３】
第７特徴構成によれば、前記湯張り処理を実行するときには、浴用の給湯温度に加熱した温水を前記給湯用配管を通して浴槽に供給することになるが、このような湯張り処理における浴槽への湯張り給湯用の目標温度としては一般的に例えば４５℃よりも低い温度に設定されることが多く、湯張り処理を行っているときにドレン配管を通してドレンを排出させるようにしても、排出されるドレンが４５℃を越えるような高温になることは少ない。これに対して、追焚き処理を実行するときは、浴用の給湯温度より高い温度（例えば、６０℃）に加熱した温水を給湯用配管を通して浴槽に供給することになるから、追焚き処理を行っているときにドレン配管を通してドレンを排出させると、排出されるドレンが４５℃を越えるような高温になるおそれが大である。
【００３４】
そこで、追焚き処理を実行するときに、ドレン量検出手段の検出情報に基づいてドレンが満杯あるいはそれに近い状態であることを検出すると、前記流動状態変更処理を実行した後に前記満杯ドレン排出処理を実行するようにしたので、排出されるドレンが４５℃を越えるような高温になるおそれがなく、ドレンの温度上昇を防止することが可能となる。
【００３５】
一方、前記湯張り処理を実行するときに、ドレン量検出手段の検出情報に基づいてドレンが満杯あるいはそれに近い状態であることを検出すると、前記流動状態変更処理を実行することなく前記満杯ドレン排出処理を実行するが、湯張り処理を実行していても排出されるドレンが例えば４５℃を越えるような高温になるおそれは少ない。
【００３６】
本発明の第８特徴構成は、湯水を給湯用配管を通して浴槽に供給する給湯部と、その給湯部にて発生して貯留部に貯留されるドレンをドレン配管を通して排出させるドレン排出手段と、前記貯留部におけるドレンの貯留量を検出するドレン量検出手段と、前記給湯部及び前記ドレン排出手段の作動を制御する制御手段とを備えて構成され、前記制御手段が、温水供給指令に基づいて、加熱した湯水を前記給湯用配管を通して浴槽に供給するように前記給湯部の作動を制御する温水供給処理、及び、前記ドレン量検出手段の検出情報に基づいて、ドレンが満杯あるいはそれに近い状態であることを検出すると前記ドレンを排出させるように前記ドレン排出手段の作動を制御する満杯時ドレン排出処理を実行するように構成され、前記給湯用配管及び前記ドレン配管が共通の保護管の内部に収納される状態で設けられた熱源システムであって、前記制御手段が、前記温水供給処理の実行を終了した後において、前記給湯用配管の温度を低下させるように前記温水供給処理を実行するときにおける湯水の温度よりも低温の湯水を前記給湯用配管を通して供給する温度低下処理を実行するように構成されている点にある。
【００３７】
第８特徴構成によれば、前記制御手段は、前記温水供給処理の実行を終了した後において、前記給湯用配管の温度を低下させるように前記温水供給処理を実行するときにおける湯水の温度よりも低温の湯水を前記給湯用配管を通して供給する温度低下処理を実行することになる。つまり、前記温水供給処理の実行しているときに、例えば４５℃を越えるような高温の湯水を給湯用配管を通して供給している場合であっても、その温水供給処理の実行を終了した後に、温水供給処理を実行するときにおける湯水の温度よりも低温、例えば４５℃を下回るような低温の湯水を給湯用配管を通して供給することによって、給湯用配管の温度を低下させるのである。
【００３８】
従って、前記温水供給処理の実行を終了した後に、ドレン量検出手段の検出情報に基づいてドレンが満杯あるいはそれに近い状態であることを検出して、満杯時ドレン排出処理を実行する場合であっても、上記した温度低下処理を実行することにより給湯用配管の温度を低下しているので、排出されるドレンが例えば４５℃を越えるような高温になるおそれがなく、ドレンの温度上昇を防止することが可能となる。
【００３９】
従って、ドレン配管を通して排出されるドレンの温度上昇を防止することが可能な熱源システムを提供できるに至った。
【００４０】
本発明の第９特徴構成は、第８特徴構成に加えて、前記制御手段が、前記温水供給処理として、浴用の給湯温度に加熱した温水を前記給湯用配管を通して浴槽に供給する湯張り処理、及び、前記浴用の給湯温度より高い温度に加熱した温水を前記給湯用配管を通して浴槽に供給する追焚き処理を実行するように構成され、且つ、前記追焚き処理の実行を終了した後において前記温度低下処理を実行するように構成され、前記湯張り処理の実行を終了した後には前記温度低下処理を実行しないように構成されている点にある。
【００４１】
第９特徴構成によれば、前記湯張り処理を実行するときには、浴用の給湯温度に加熱した温水を前記給湯用配管を通して浴槽に供給することになるが、このような湯張り処理における浴槽への湯張り給湯用の目標温度としては、一般的に例えば４５℃よりも低い温度に設定されることが多く、湯張り処理を行っているときにドレン配管を通してドレンを排出させるようにしても、排出されるドレンが４５℃を越えるような高温になるおそれは少ない。これに対して、追焚き処理を実行するときは、浴用の給湯温度より高い温度（例えば、６０℃）に加熱した温水を給湯用配管を通して浴槽に供給することになるから、追焚き処理を行っているときにドレン配管を通してドレンを排出させると、排出されるドレンが４５℃を越えるような高温になるおそれが大である。
【００４２】
そこで、追焚き処理の実行を終了した後において前記温度低下処理を実行するように構成され、前記湯張り処理の実行を終了した後には前記温度低下処理を実行しないように構成されているから、排出されるドレンが高温になるおそれが大きい追焚き処理を実行するときには前記温度低下処理を実行するようにして、ドレンの温度上昇を防止することができる。一方、排出されるドレンが高温になるおそれが少ない湯張り処理を実行するときには前記温度低下処理を実行しないようにしたので、給湯用配管の温度を不必要に低下させて熱効率を低下させることがない。
【発明を実施するための最良の形態】
【００４３】
〔第１実施形態〕
以下、本発明の第１実施形態を図面に基づいて説明する。
図１に本発明に係る熱源システムの一例としての給湯装置を示している。この給湯装置は、湯水を給湯用配管を通して浴槽に供給する給湯部として、一般家庭用の水道管に接続された給水路１からの水を燃焼用バーナとしてのガス燃焼式のバーナｇ１によって加熱して、加熱後の湯水を先端に給湯栓２を備えた給湯路３に供給する給湯用動作部Ａと、浴槽５内の湯水を燃焼用バーナとしてのガス燃焼式のバーナｇ２によって加熱して追焚きする追焚用動作部Ｂとを備えている。そして、これらの給湯用動作部Ａ及び追焚用動作部Ｂはいずれも上下２段に配置した主熱交換器Ｎ１および潜熱回収熱交換器Ｎ２を備えて構成され、潜熱回収熱交換器Ｎ２にて熱交換された後の燃焼排ガスは排気路７を通して外部に排出されるように構成されている。
【００４４】
前記潜熱回収熱交換器Ｎ２からは、燃焼生成水である酸性の凝縮水であるドレンが生成するが、このドレンはドレンパン８によって集められて中和器９にて中和したのちに貯留部としてのドレンタンクＤＴに貯留する構成となっている。中和器９には、詳述はしないが凝縮水に対して中和作用する中和剤（例えば、炭酸カルシウム）が装填されている。
【００４５】
前記給湯用動作部Ａ及び追焚用動作部Ｂには、各バーナｇ１、ｇ２に一般家庭用の燃料ガスを供給するガス供給路Ｇが接続され、燃料ガス供給量を調整する電磁式のガス比例弁１０、燃料ガスの供給断続する断続弁１１が設けられている。前記バーナｇ１、ｇ２に燃焼用空気を供給する燃焼用ファン１２も設けられ、バーナｇ１の近くには、バーナｇ１に対する点火動作を実行する点火用のイグナイタと着火されたか否かを検出するフレームロッドなどが設けられている。
【００４６】
前記給湯用動作部Ａには、給水路１と、主熱交換器Ｎ１および潜熱回収熱交換器Ｎ２を通過した後に加熱後の湯水を出湯する給湯路３とが接続され、給水路１を通して供給される被加熱流体としての水が熱交換されて所望の温度の湯水が給湯路３を通して供給されるように構成されている。
【００４７】
前記給水路１には、給水温度を検出する給水サ−ミスタ１３と給水量を検出する水量センサ１４とが設けられ、給水サ−ミスタ１３と水量センサ１４より下流側の給水路１と給湯路３とが、熱交換器Ｎ１，Ｎ２を迂回するように給水バイパス路１５を介して接続されている。さらに、給湯路３には、上流側から順に、給湯用熱交換器４からの湯水の温度を検出する給湯サ−ミスタ１６と、給湯用熱交換器４からの湯量と給水バイパス路１５からの水量との混合比を調整するミキシング弁１７と、ミキシング弁１７により混合された後の湯水の温度を検出する出湯サ−ミスタ１８と、湯水の量を調整する水比例弁１９と、一般給湯の割込みを検出する割込み水量センサ２０とが設けられている。
【００４８】
前記水比例弁１９と割込み水量センサ２０との間の給湯路３には、給湯路３からの湯水を浴槽５に供給するための風呂用の湯張り路２２が分岐接続されている。前記追焚用動作
部Ｂには、浴槽５からの浴槽用戻り路２３と浴槽用往き路２４が接続され、浴槽用戻り路２３と浴槽用往き路２４とが循環路として構成されている。そして、浴槽用戻り路２３と浴槽用往き路２４とは、風呂アダプタ２５を介して浴槽５に接続され、浴槽用戻り路２３に設けられた循環ポンプ２６を駆動することにより、浴槽５内の湯水を浴槽用戻り路２３と浴槽用往き路２４を介して循環させながら、追焚用動作部Ｂで追焚するように構成されている。
【００４９】
前記浴槽用戻り路２３には、上流側から順に、圧力を検出することによって浴槽５内の水位を検出する水位検出手段としての水位センサ２７と、浴槽５内の湯水の温度を検出する浴槽温検出手段としての戻りサ−ミスタ２８と、浴槽用戻り路２３を開閉する電磁式の風呂２方弁２９と、湯水循環用の循環ポンプ２６と、水流スイッチ３０とが設けられ、浴槽用往き路２４には、浴槽用の往きサ−ミスタ３１が設けられている。
【００５０】
前記風呂用の湯張り路２２は、追焚用循環ポンプ２６と水流スイッチ３０との間の浴槽用戻り路２３に接続されている。この湯張り路２２には、上流側から湯張り路２２を開閉する湯張り電磁弁３２と、湯張り逆止弁３３とが設けられている。前記湯張り電磁弁３２と湯張り逆止弁３３との間の湯張り路２２には、その湯張り路２２に連通する空気層形成用ホッパ３４が介装されている。この空気層形成用ホッパ３４には、湯水を排水する排水路３５と、その排水路３５を開閉する電磁式の排水弁３６とが設けられ、排水路３５の端部が風呂２方弁２９と循環ポンプ２６との間の浴槽用戻り路２３に接続されている。
【００５１】
この給湯装置Ｄにおいては、前記ドレンタンクＤＴに貯留されているドレンを浴室Ｙの洗い場Ｙ１に向けて流動案内するドレン配管４４と、このドレン配管４４を通してドレンを強制的に排出させるドレン排出手段としてのドレンポンプ４５と、ドレンの逆流を防止する逆流防止弁４６とが設けられている。前記ドレン配管４４は、図２、図３に示すように、前記浴槽用戻り路２３と浴槽用往き路２４と合わせて束ねられて、それらを合成樹脂製の保護管（ＣＤ管）４７に収納された状態で浴室の洗い場Ｙ１に向かうように設置される構成となっている。そして、洗い場Ｙ１における洗面用のカウンターｋｔの下方側箇所から浴室Ｙ内部に向けて開口してドレンを洗い場Ｙ１に排出させるように構成されている。
【００５２】
この給湯装置の運転状態を制御する制御手段としての運転制御部Ｈ１は、マイクロコンピュ−タを備え、室内に設置されたリモコン装置Ｒ１との間で通信可能に構成されている。リモコン装置Ｒ１には、運転の開始と停止を指令する運転スイッチ３７、風呂自動運転を指令する自動スイッチ３８、一般給湯温度を設定する温度設定スイッチ３９、浴槽５内の目標水位を設定する水位設定スイッチ４０、浴槽に追加で湯張り給湯する足し湯スイッチ４１、追焚運転を指令する追焚スイッチ４２等が設けられている。
【００５３】
そして、前記ドレンタンクＤＴには、図１に示すように、貯留されているドレンの貯留量が満杯に近い大側の設定量を越えているとオンし、前記大側の設定量を下回っているとオフする上側検知センサ４８と、ドレンの貯留量が小側の設定量を超えているとオンし、前記小側の設定量を下回っているとオフする下側検知センサ４８とが備えられ、運転制御部Ｈ１は、これらの各センサ４８，４９の検出情報に基づいてドレンポンプ４５の作動を制御するように構成されている。これらの各センサ４８，４９によりドレンタンクＤＴに貯留されるドレンの貯留量を検出するドレン量検出手段ＤＫが構成されている。
【００５４】
前記運転制御部Ｈ１による制御動作について簡単に説明する。
運転制御部Ｈ１は、リモコン装置Ｒ１の運転スイッチ３７が操作されると制御可能な状態になり、給湯栓２が開操作されると給湯栓２から湯水を給湯する一般給湯運転を実行する。この一般給湯運転は、給湯栓２を開いて水量センサ１４による検出水量が所定量以上
になると、給湯用動作部Ａにおける燃焼用ファン１２を駆動した後、断続弁１１を開弁し、ガス比例弁１０の開度を調整してイグナイタによりバーナｇ１に点火し、温度設定スイッチ３９による設定温度、給水サ−ミスタ１３による検出水温、給湯サ−ミスタ１６による給湯温度、水量センサ１４による検出水量などに基づいて、給湯サ−ミスタ１６により検出される給湯温度が設定温度になるように、ガス比例弁１０の開度、並びに、ミキシング弁１７の開度を制御する。通水が検出されなくなると、ガス比例弁１０と断続弁１１を閉弁してバーナｇ１の燃焼を停止し、燃焼用ファン１２も停止して一般給湯運転を終了する。
【００５５】
運転制御部Ｈ１は、リモコン装置Ｒ１の足し湯スイッチ４１が操作されると、浴槽５の水位が設定水位になるように浴槽５に対する湯張り給湯を実行して設定水位になると給湯を停止する足し湯運転を実行する。
【００５６】
運転制御部Ｈ１は、リモコン装置Ｒ１の自動スイッチ３８が操作されると風呂自動制御を実行する。この風呂自動制御においては先ず自動湯張りを実行する。この自動湯張りは、一般給湯運転と同様に給湯用動作部Ａにより加熱制御して、設定温度の湯水を湯張り路２２を介して浴槽用戻り路２３と浴槽用往き路２４に供給して、浴槽用戻り路２３と浴槽用往き路２４の両方の経路から浴槽５内に供給する。そして、水位センサ２７の検出水位が設定水位以上になると、給湯用動作部Ａにより加熱を停止して浴槽５への湯張りを終了する。浴槽５への湯張りが終了すると、戻りサーミスタ２８の検出温度が設定温度に対し低下していると、追焚用循環ポンプ２６を駆動させ、浴槽５内の湯水とホッパ３４から排出された湯水などを浴槽用戻り路２３と浴槽用往き路２４などを介して循環させ、戻りサーミスタ２８の検出温度が風呂リモコンＲ２の温度設定スイッチ４２による設定温度になるまで追焚用動作部により追焚加熱を行う。戻りサーミスタ２８の検出温度がリモコン装置Ｒ１の温度設定スイッチ４２による設定温度になると、追焚用の循環ポンプ２６を停止して追焚加熱を終了する。
【００５７】
運転制御部Ｈ１は、リモコン装置Ｒ１の追焚スイッチ４２が操作されると追焚き運転を実行する。この追焚き運転は、基本的には、次のような処理を実行する。つまり、追焚用の循環ポンプ２６を駆動させて浴槽５内の湯水を浴槽用戻り路２３と浴槽用往き路２４などを介して循環させ、浴槽用の往きサ−ミスタ３１の検出温度が追焚用温度（６０℃）になるように追焚用動作部Ｂにて循環する湯水を加熱し、戻りサーミスタ２８の検出温度が温度設定スイッチ４２による設定温度になると追焚用の循環ポンプ２６による湯水の循環作動と追焚用動作部Ｂにおける加熱作動を停止する。
【００５８】
従って、運転制御部Ｈ１は、温水供給指令としての自動スイッチ４１のオン操作による前記湯張り処理及びその湯張り運転後の自動の追焚処理、温水供給指令としての足し湯スイッチ３８のオン操作による足し湯処理、及び、温水供給指令としての追焚スイッチ４２のオン操作による追焚処理を夫々実行するように構成されている。そして、追焚スイッチ４２のオン操作による追焚処理を実行するときは、その追焚き処理に先立ってドレンタンクＤＴに貯留されているドレンを排出させるようにドレンポンプ４５の作動を制御するように構成され、前記湯張り処理、湯張り運転後の自動の追焚処理、足し湯処理を実行するときには、それらの処理に先立って前記先行ドレン排出処理を実行しないように構成されている。
【００５９】
前記追焚スイッチ４２のオン操作による追焚処理は、湯温が大きく低下している状態で操作されるので、処理を開始してから長時間で終了することが予測されるが、湯張り運転後の自動の追焚処理は、処理を開始してから短時間で終了することが予測されるものである。従って、この実施形態では、追焚スイッチ４２のオン操作による温水供給指令が長時間処理指令に対応しており、自動スイッチ３８の操作による追焚き用の温水供給指令が短
時間処理指令に対応する。
【００６０】
運転制御部Ｈ１は、追焚スイッチ４２のオン操作による追焚処理を実行しているときに、ドレンタンクＤＴにおける上側検知センサ４８がオフからオンに切り換わり、ドレンタンクＤＴ内にドレンが満杯あるいはそれに近い状態であることを検出すると、追焚処理の実行を中断して、供給用配管としての浴槽用往き路２４の温度を低下させるように浴槽用往き路２４を通して供給する湯水の流動状態を変化させる流動状態変更処理を実行した後に満杯時ドレン排出処理を実行するように構成されている。前記流動状態変更処理としては、具体的には浴槽用往き路２４を通して浴槽に供給する湯水の温度を低下させるように構成されている。
【００６１】
更に、運転制御部Ｈ１は、追焚スイッチ４２のオン操作による追焚処理の実行を終了した後において、浴槽用往き路２４の温度を低下させるように、追焚処理を実行するときにおける湯水の温度よりも低温の湯水を浴槽用往き路２４を通して供給する温度低下処理を実行するように構成されている。
【００６２】
以下、上記したような各処理を夫々実行することになる運転制御部Ｈ１による追焚スイッチ４２のオン操作に伴う追焚制御の具体的な制御動作について説明する。
すなわち、図４に示すように、追焚スイッチ４２がオン操作されて追焚が指令されると、そのときにドレンタンクＤＴに貯留されるドレンの量が設定量未満の少ない量であるか否かを判別する（ステップ１，２）。具体的には、前回ドレンポンプ４５を作動させてドレンを排出させる処理を実行してから現在に至るまでの間の前記各バーナｇ１，ｇ２における燃焼量（燃料供給量）の積算値から、貯留されているドレンの量を推定して、ドレンタンクＤＴの貯留量が設定量に満たない少ない量であるか否かを判別するようにしている。
【００６３】
そのとき、ドレン量が設定量よりも多いと判別すると、ドレンタンクＤＴ内のドレンを排出させるようにドレンポンプ４５を作動させてドレン排出を開始し、下側検知センサ４９がオンからオフに切り換わり排水が完了したことを検出すると、ドレンポンプ４５の作動を停止して排出処理を終了する（ステップ３〜５）。このステップ３〜５の処理が先行ドレン排出処理に対応する。
【００６４】
そして、追焚用の循環ポンプ２６の作動を開始して、浴槽５内の湯水を浴槽用戻り路２３と浴槽用往き路２４などを介して循環させ、追焚用動作部Ｂにおけるバーナｇ２の燃焼を開始させて、追焚用熱交換器６により加熱した温水を浴槽５に供給する追焚処理を開始する（ステップ６、７）。つまり、浴槽用の往きサ−ミスタ３１の検出温度が追焚用温度（６０℃）になるようにバーナｇ２の燃焼量を調整して循環する湯水を加熱する。
【００６５】
その追焚処理を実行している途中で、ドレンタンクＤＴにおける上側検知センサ４８がオフからオンに切り換わり、ドレンタンクＤＴ内にドレンが満杯あるいはそれに近い状態であることを検出すると、上記したようなバーナｇ２の燃焼を停止して追焚加熱を停止する（ステップ８、９）。このとき、追焚用の循環ポンプ２６による湯水の循環通流作動は継続しているので、このバーナｇ２による追焚加熱を停止する処理が、浴槽用往き路２４の温度を低下させるように浴槽用往き路２４を通して供給する湯水の流動状態を変化させる流動状態変更処理に対応する。従って、このとき、ドレン配管４４を通してドレンが排出されてもドレンが高い温度になることはない。
【００６６】
タイマーによるカウントを開始して、タイマーがカウントアップして追焚加熱を停止してから設定時間（数分間）が経過すると、ドレンタンクＤＴ内のドレンを排出させるようにドレンポンプ４５を作動させてドレン排出を開始し、下側検知センサ４９がオンからオ
フに切り換わり排水が完了したことを検出すると、ドレンポンプ４５の作動を停止して排出処理を終了する（ステップ１０〜１４）。ステップ１２〜１４の処理が満杯時ドレン排出処理に対応する。
【００６７】
ドレンの排出が終了すると、バーナｇ２に点火して追焚加熱を再開する（ステップ１５）。そして、その追焚加熱によって湯水が加熱されて、戻りサーミスタ２８の検出温度が温度設定スイッチ４２による設定温度になると追焚加熱を停止する（ステップ１６、１７）。この追焚加熱の停止により追焚処理が終了したことになる。
【００６８】
そして、追焚処理が終了するとタイマーによるカウントを開始して、タイマーがカウントアップして追焚処理を終了してから設定時間（数分間）が経過すると、追焚用の循環ポンプ２６の作動を停止する（ステップ１８〜２０）。このステップ１８〜２０の処理が温度低下処理に対応する。すなわち、追焚処理が終了した後は、バーナｇ２による加熱を行わない状態で浴槽５内の湯を浴槽用戻り路２３と浴槽用往き路２４などを介して循環させるので、浴槽用往き路２４内部の湯の温度は浴槽５内の湯温と同じ温度になり、追焚処理を行っているときの湯温（約６０℃）よりも低い温度になるから、ドレン配管４４を通してドレンが排出されてもドレンが高い温度になることはない。
【００６９】
上記したような追焚制御以外の他の制御、自動スイッチ３８の操作に伴う自動運転や足し湯運転を行っているときに、ドレンタンクＤＴにおける上側検知センサ４８がオフからオンに切り換わり、ドレンタンクＤＴ内にドレンが満杯あるいはそれに近い状態であることを検出すると、給湯用の運転状態にかかわらず前記満杯時ドレン排出処理を実行する構成となっている。
【００７０】
〔第２実施形態〕
次に、本発明の第２実施形態を図面に基づいて説明する。
この第２実施形態では、運転制御部による風呂自動制御を実行するときに制御の形態が異なるが、給湯装置の給湯用回路構成及びその他の構成は第１実施形態と同じであるから、異なる構成についてのみ説明し、同じ構成については説明は省略する。
【００７１】
この実施形態では、前記運転制御部が、前記追焚制御のときと同様に、前記自動スイッチの操作に伴って自動で温水供給処理としての湯張り処理を実行するときに、その湯張り処理に先立ってドレンタンクＤＴに貯留されているドレンを排出させるようにドレンポンプ４５の作動を制御する先行ドレン排出処理を実行するように構成されている。又、前記湯張り処理を実行しているときに、前記ドレン量検出手段の検出情報に基づいてドレンが満杯あるいはそれに近い状態であることを検出すると、前記湯張り処理の実行を中断して、前記給湯用配管の温度を低下させるように前記給湯用配管を通して供給する湯水の流動状態を変化させる流動状態変更処理を実行した後に前記満杯時ドレン排出処理を実行するように構成されている。
【００７２】
以下、運転制御部Ｈ１による自動スイッチ３８のオン操作に伴う風呂自動制御の具体的な制御動作について説明する。
図５、図６に示すように、自動スイッチ３８がオン操作されると、湯張り用目標温度として前記温度設定スイッチ３９にて設定される湯張り用の設定温度を設定し、その湯張り用の設定温度が閾値（４５℃）を越えていれば、自動湯張り処理を実行する前にドレン排出処理を実行する（ステップ３１〜３４）。このステップ３４の処理が先行ドレン排出処理に対応する。このドレン排出処理は、図７に示すように、ドレンを排出させるようにドレンポンプ４５を作動させてドレン排出を開始し、下側検知センサ４９がオンからオフに切り換わり排水が完了したことを検出すると、ドレンポンプ４５の作動を停止して排出処理を終了する（ステップ５２〜５４）。
【００７３】
水位センサ２７の検出結果により、そのとき浴槽５に残り湯がないことが検出されると、上述の一般給湯運転と同様にバーナｇ１に点火して、給湯サ−ミスタ１６により検出される給湯温度が湯張り用目標温度になるように、ガス比例弁１０の開度、並びに、ミキシング弁１７の開度を調整して、その温度調整した湯水を浴槽５に供給して湯張りを行う（ステップ３５〜３６）。このとき、風呂２方弁２９を開弁させておき、浴槽用戻り路２３及び浴槽用往き路２４の両方の配管を通して浴槽に供給する構成となっている。
【００７４】
この湯張りを行っている途中で、ドレンタンクＤＴにおける上側検知センサ４８がオフからオンに切り換わり、ドレンタンクＤＴ内にドレンが満杯あるいはそれに近い状態であることを検出すると、そのとき、湯張り用の設定温度が閾値（４５℃）を越えていなければすぐにドレン排出処理を実行する（ステップ３７〜３９）。湯張り用の設定温度が閾値を越えていれば、湯張り用目標温度を閾値よりも低い低温側設定値（例えば、４０℃）に変更する（ステップ４０）。この湯張り用目標温度を低下させる処理が、給湯用配管としての浴槽用戻り路２３及び浴槽用往き路２４の温度を低下させるように湯水の流動状態を変化させる流動状態変更処理に対応する。
【００７５】
そして、タイマーカウントを開始し、タイマーがカウントアップして設定時間が経過すると前記ドレン排出処理を実行する（ステップ４１〜４３）。このステップ４３の処理が満杯時ドレン排出処理に対応する。このドレン排出処理を実行した後に、湯張り用目標温度を前記設定温度に戻して湯張りを継続して実行する（ステップ４４）。
【００７６】
その後、水位センサ２７の検出水位が設定水位以上になり浴槽の湯量が設定湯量になるとバーナｇ１の燃焼を停止し、湯張り電磁弁３２を閉じて湯張り給湯を停止する（ステップ４５、４６）。次に、戻りサーミスタ２８の検出温度により浴槽内の湯温を判定し、戻りサーミスタ２８の検出温度が温度設定スイッチ４２による設定温度未満であれば追焚きを実行する（ステップ４７、４８、４９）。つまり、追焚用循環ポンプ２６を作動させて、浴槽５内の湯水を浴槽用戻り路２３と浴槽用往き路２４などを介して循環通流させ、浴槽用の往きサ−ミスタ３１の検出温度が追焚用の温度（６０℃）になるように追焚用動作部Ｂにおけるバーナｇ２によって温水を加熱する。そして、戻りサ−ミスタ２８の検出温度が設定温度に達すると、ガス比例弁１０と断続弁１１を閉弁させ、バーナｇ２の燃焼を停止させ、燃焼用ファン１２を停止させて追焚きを終了して自動運転を終了する（ステップ５０、５１）。
【００７７】
浴槽５に残り湯がない状態で自動スイッチ３８がオン操作されることにより行われる湯張り処理は、前記追焚スイッチ４２のオン操作による追焚処理と同様に、処理を開始してから長時間で終了することが予測されるものである。従って、この実施形態では、追焚スイッチ４２のオン操作による温水供給指令に加えて、浴槽５に残り湯がない状態で自動スイッチがオン操作されることによる温水供給指令が長時間処理指令に対応している。
【００７８】
〔第３実施形態〕
次に、本発明の第３実施形態を図面に基づいて説明する。
この第３実施形態では、運転制御部による流動状態変更処理における具体的な処理が第２実施形態と異なり、それ以外の構成は第２実施形態と同じであるから、異なる構成についてのみ説明し、同じ構成については説明は省略する。
【００７９】
図８、図９に、第３実施形態における運転制御部による風呂自動制御の具体的な制御動作のフローチャートを示している。この図に示すように、自動スイッチ３８がオン操作されて、湯張り用の設定温度が閾値（４５℃）を越えていればその湯張り処理に先立って前記先行ドレン排出処理を実行する点は第２実施形態と同じである（ステップ６１〜６４）
。
水位センサの検出結果により、そのとき浴槽に残り湯がないことが検出されると、第２実施形態と同様にバーナｇ１に点火して、給湯サ−ミスタ１６により検出される給湯温度が湯張り用目標温度になるように、ガス比例弁１０の開度、並びに、ミキシング弁１７の開度を調整して、その温度調整した湯水を浴槽５に供給して湯張りを行う（ステップ６５、６６）。このとき、風呂２方弁２９を開弁させておき、浴槽用戻り路２３及び浴槽用往き路２４の両方の配管を通して浴槽に供給する両側搬送形態にて湯張りを行う構成となっている。
【００８０】
そして、湯張りを行っている途中で、ドレンタンクＤＴにおける上側検知センサ４８がオフからオンに切り換わり、ドレンタンクＤＴ内にドレンが満杯あるいはそれに近い状態であることを検出すると、そのとき、湯張り用の設定温度が閾値（４５℃）を越えていなければすぐにドレン排出処理を実行する（ステップ６７、６８、６９）。湯張り用の設定温度が閾値を越えていれば、風呂２方弁２９を閉弁させ、浴槽用往き路２４だけを通して浴槽に供給する片側搬送形態にて湯張りを行う状態に変更する（ステップ７０）。
【００８１】
この湯張り状態における搬送形態を変更する処理が、給湯用配管としての浴槽用戻り路２３及び浴槽用往き路２４の温度を低下させるように湯水の流動状態を変化させる流動状態変更処理に対応する。説明を加えると、このように片側搬送形態にて湯張りを行うようにすると、浴槽用往き路２４は閾値を越えるような高温の湯水が流動するが、浴槽用戻り路２３には高温の湯水が流れないので自然放熱により温度が低下するので、ドレン配管４４の温度が上昇することを抑制することになる。
【００８２】
そして、タイマーカウントを開始し、タイマーがカウントアップして設定時間が経過すると前記ドレン排出処理を実行する（ステップ７１、７２、７３）。この処理が割り込みドレン排出処理に対応する。このドレン排出処理を実行した後に、湯張り状態における搬送形態を両側搬送形態に戻して湯張りを継続して実行する（ステップ７４）。そして、それ以降は第２実施形態と同様の処理を行う（ステップ７５〜８１）。
【００８３】
〔第４実施形態〕
次に、本発明の第４実施形態を図面に基づいて説明する。
図１０に第４実施形態における給湯装置を示している。この第４実施形態では、前記給湯部として、第１実施形態における前記給湯用動作部Ａと同様な構成を有する給湯動作部Ｆと、外部暖房装置Ｃに対して暖房用の温水を循環供給するとともに、それに合わせて風呂追焚き加熱用の温水を循環供給する温水循環用動作部Ｅとを備えており、追焚きを実行するための追焚用加熱部の構成が第１実施形態と異なっているが、給湯装置Ｐに備えられる制御手段としての運転制御部Ｈ３による制御処理の構成は第１実施形態のときと同様である。従って、ここでは異なる構成についてのみ説明し、同じ構成については説明は省略する。尚、図中Ｈ２は外部暖房装置Ｃにおける制御部であり、Ｒ２は外部暖房装置Ｃにおけるリモコン装置である。又、図中Ｒ３は台所などに設置されるリモコン装置、Ｒ４は浴室に設置されるリモコン装置、６６は外部暖房装置Ｃに対する湯水の供給を断続する断続弁である。
【００８４】
前記温水循環用動作部Ｅには、膨張タンク５０内の水を供給する温水循環用給水路５１と、加熱後の湯を供給する温水循環用給湯路５２とが接続され、この温水循環用給湯路５２を外部暖房装置Ｃに設けた乾燥暖房用熱交換器５３に接続して、その乾燥暖房用熱交換器５３により熱交換された後の湯水が、温水循環用戻り路５４を介して膨張タンク５０内に戻されるように構成されている。前記温水循環用給湯路５２と温水循環用戻り路５４は、外部暖房装置Ｃを迂回する状態でバイパス路５５を介して接続され、そのバイパス路５５には、浴槽５内に追焚き用の高温水を供給する為の追焚用熱交換器５６と追焚用の開閉
弁５７とが設けられている。前記温水循環用給水路５１には、膨張タンク５０内の水を吸引して温水循環用動作部Ｅに供給するとともに、加熱後の湯を外部暖房装置Ｃや追焚用熱交換器５６に供給するための循環ポンプ５８が設けられ、温水循環用給湯路５２には、加熱後の湯の温度を検出する循環温水サーミスタ５９が設けられている。
【００８５】
前記追焚用加熱部Ｉにおける追焚き用の熱交換器５６は液々熱交換器で構成され、この追焚き用の熱交換器５６の内部を浴槽用往き路２４が挿通しており、温水循環用動作部Ｅにて加熱されて温水循環用給水路５１及びバイパス路５５を通して循環通流する高温水と浴槽用往き路２４内を通流する湯水との間で熱交換が行われて、浴槽用往き路２４内を通流する湯水が加熱される構成となっている。
【００８６】
従って、追焚き加熱を開始するときには、そのとき外部暖房装置Ｃが暖房運転を実行しているときには、温水循環用動作部Ｅにて加熱した湯水が温水循環用給水路５１を通して循環通流しているので、前記追焚用の開閉弁５７を開弁させることにより、追焚き加熱を実行することができる。又、追焚き加熱を停止するときは、追焚用の開閉弁５７を閉弁させる処理を実行する。追焚き加熱を開始するときに、外部暖房装置Ｃが暖房運転を実行していないときは、温水循環用動作部Ｅにて加熱した湯水を温水循環用給水路５１を通して循環通流させる処理を開始してから、前記追焚用の開閉弁５７を開弁させることにより、追焚き加熱を実行することができる。
【００８７】
この実施形態では、運転制御部Ｈ３による制御処理の構成が第１実施形態と同じ処理を実行する構成としたが、図１０に示す構成のものにおいて、前記第２実施形態において実施した制御動作を実行する構成としてもよく、あるいは、前記第３実施形態において実施した制御動作を実行する構成としてもよい。
【００８８】
〔別実施形態〕
以下、別実施形態を列記する。
【００８９】
（１）上記第１実施形態では、前記制御手段が、前記温水供給処理としての追焚き処理を実行するときに、前回ドレンポンプ４５を作動させてドレンを排出させる処理を実行してから現在に至るまでの間に前記各バーナｇ１，ｇ２における燃焼量（燃料供給量）の積算値から、貯留されているドレンの量を推定して、ドレンタンクＤＴの貯留量が設定量に満たない少ない量であるか否かを判別する構成としたが、このような構成に代えて、次のように構成してもよい。
【００９０】
前記燃焼量（燃料供給量）の積算値を求めるのではなく、前記各バーナｇ１，ｇ２にて加熱される熱交換器に対する入水温度と出湯温度との差を計測して、その差の値とバーナが燃焼している作動時間の積（アウトプット量）を求めて、その値から貯留されているドレンの量を推定してもよい。
【００９１】
又、前記ドレン量検出手段として、上記したような上側検知センサ４８と下側検知センサ４８とで構成するものに代えて、貯留量を最小値から最大値まで無段階に計測することができる計測装置を用いて、その計測結果に基づいて前記貯留部に貯留されるドレンの貯留量が設定量未満であるか否かを判別する構成としてもよい。
【００９２】
（２）上記第１実施形態では、前記制御手段が、前記温水供給処理としての追焚き処理を実行するときに、前記貯留部に貯留されるドレンの貯留量が設定量未満であると予測される場合には、前記先行ドレン排出処理を実行しないように構成したものを例示したが、このような構成に代えて、前記温水供給処理を実行するときには、前記貯留部に貯留されるドレンの貯留量を判別することなく前記先行ドレン排出処理を実行する構成としてもよい
。
【００９３】
（３）上記第１実施形態では、前記流動状態変更処理として、追焚き加熱を停止させるようにしたが、このような構成に代えて、例えば、前記閾値よりも低い温度の湯を温水往き路を通して供給するようにしてもよい。
【００９４】
（４）上記第２実施形態では、前記流動状態変更処理として、湯張り用目標温度を閾値よりも低い低温側設定値に変更するようにしたが、このような構成に代えて、例えば、湯張り供給を一旦停止させるようにしてもよい。
【００９５】
（５）上記第１実施形態では、前記温度低下処理として、追焚き加熱を停止した状態で湯水の循環通流を設定時間継続させるようにしたが、このような構成に代えて、例えば、前記閾値よりも低い温度の湯を温水往き路を通して供給するようにしてもよい。
【００９６】
（６）上記第１実施形態では、温水供給処理を実行する前の前記先行ドレン排出処理、温水供給処理を実行している途中の前記流動状態変更処理、温水供給処理を実行した後の前記温度低下処理の夫々を実行する構成としたが、それらのうちのいずれか１つの処理だけを実行するようにしてもよく、それらのうちのいずれか２つの処理を選択して実行するようにしてもよい。
【００９７】
（７）上記各実施形態では、給湯部として、給水路を通して供給される水を潜熱回収型熱交換器にて加熱して供給する構成のもの例示したが、このような構成に限らず、例えば、貯湯タンク並びに加熱用ボイラを備えた貯湯式給湯装置において、加熱用ボイラから吹き出した湯水をドレンとして貯留するような構成としてもよい。
【図面の簡単な説明】
【００９８】
【図１】熱源システムの全体構成図
【図２】排水用の配管構成を示す図
【図３】ドレン用配管の配設状態を示す切欠斜視図
【図４】制御動作のフローチャート
【図５】第２実施形態の制御動作のフローチャート
【図６】第２実施形態の制御動作のフローチャート
【図７】第２実施形態の制御動作のフローチャート
【図８】第３実施形態の制御動作のフローチャート
【図９】第３実施形態の制御動作のフローチャート
【図１０】第４実施形態の熱源システムの全体構成図
【符号の説明】
【００９９】
２３、２４          給湯用配管
４５                ドレン排出手段
Ａ，Ｂ，Ｅ，Ｆ      給湯部
ＤＫ                ドレン量検出手段
Ｈ１，Ｈ３          制御手段
【図１】
2006138527.tif 000003
【図２】
2006138527.tif 000004
【図３】
2006138527.tif 000005
【図４】
2006138527.tif 000006
【図５】
2006138527.tif 000007
【図６】
2006138527.tif 000008
【図７】
2006138527.tif 000009
【図８】
2006138527.tif 000010
【図９】
2006138527.tif 000011
【図１０】
2006138527.tif 000012